(57)【要約】【課題】パネル同士の目地周辺が汚れ難く、且つ、露出するパネル部分を清掃し易くする。【解決手段】尿を受けるボウルを前方に有する小便器と、前記小便器を固定するフレームと、前記小便器の幅方向に沿って前記フレームに取り付けられ、前記小便器の背後の周囲を覆う複数枚のパネルと、を備え、各パネル同士の目地が前記小便器の背後に位置する。【選択図】  図３
2016183454.tif 000002
【特許請求の範囲】
【請求項１】
尿を受けるボウルを前方に有する小便器と、
前記小便器を固定するフレームと、
前記小便器の幅方向に沿って前記フレームに取り付けられ、前記小便器の背後の周囲を覆う複数枚のパネルと、
を備え、
各パネル同士の目地が前記小便器の背後に位置する、
小便器ユニット。
【請求項２】
前記フレームは、前記幅方向において複数の前記小便器を固定しており、
前記パネルは、各小便器同士の間に設けられ点検用に取り外し自在な点検口パネルと、各小便器の上下の少なくとも何れか一方側に設けられた他のパネルと、を有する、
請求項１に記載の小便器ユニット。
【請求項３】
前記他のパネルは、前記小便器の背面に当接する器具当接パネルである、
請求項２に記載の小便器ユニット。
【請求項４】
前記小便器の前後方向における前記点検口パネルの前面と前記小便器の背面との間には、前記点検口パネルが移動自在な空間が形成されている、
請求項２又は請求項３に記載の小便器ユニット。
【請求項５】
前記目地は、上下に延びており、
前記小便器の上下のアウトラインの角度は、前記目地に対して３度未満のアウトラインである、
請求項１乃至４の何れか１項に記載の小便器ユニット。
【請求項６】
各小便器の正面視の形状は、上下に長い略長方形状である、
請求項５に記載の小便器ユニット。
【発明の詳細な説明】
【技術分野】
【０００１】
本発明は、小便器ユニットに関する。
【背景技術】
【０００２】
従来から、フレームに小便器が固定された小便器ユニットにおいて、小便器の配管や、当該小便器が固定された箇所以外のフレームの部分をその前方にパネルを設けることで覆い隠す構成が知られている（特許文献１参照。）。
【０００３】
また、特許文献２には、小便器とそのパネルが、横方向に複数個配置され、さらに小便器の上方に上記パネルとは別体で取り外し可能な点検口パネルを設けた構成が開示されている。
【先行技術文献】
【特許文献】
【０００４】
【特許文献１】特開平８−１６４０９３号公報
【特許文献２】特開２００２−８８８８３６号公報
【発明の概要】
【発明が解決しようとする課題】
【０００５】
しかしながら、特許文献２に記載の構成では、点検口パネルを含むパネルが複数枚あるため、当該文献の図１に示すようにパネル同士の間に露出する目地ができる。この結果、その目地により形成される隙間によって、目地周辺が汚れ易く、且つ、露出するパネル部分を清掃し難い。
【０００６】
そこで、本発明は、上述した課題を解決するためになされたものであり、パネル同士の目地周辺が汚れ難く、且つ、露出するパネル部分を清掃し易い小便器ユニットを提供することを目的の一つとしている。
【課題を解決するための手段】
【０００７】
本発明の第１態様に係る小便器ユニットは、尿を受けるボウルを前方に有する小便器と、前記小便器を固定するフレームと、前記小便器の幅方向に沿って前記フレームに取り付けられ、前記小便器の背後の周囲を覆う複数枚のパネルと、を備え、各パネル同士の目地が前記小便器の背後に位置する。
【０００８】
この構成においては、複数枚のパネルが小便器ユニットの前面として露出する事となり、この前面に各パネル同士の目地が存在してしまう。しかしながら、上記構成によれば、各パネル同士の目地が前記小便器の背後に位置するので、少なくとも各目地の中央部は小便器によって隠れることになる。この結果、上記構成によれば、パネル同士の目地が小便器の背後に位置せず露出する場合に比べて、パネル同士の目地周辺が汚れ難く、且つ、露出するパネル部分を清掃し易くすることができる。
【０００９】
本発明の第２態様に係る小便器ユニットでは、第１態様において、前記フレームは、前記幅方向において複数の前記小便器を固定しており、前記パネルは、各小便器同士の間に設けられ点検用に取り外し自在な点検口パネルと、各小便器の上下の少なくとも何れか一方側に設けられた他のパネルと、を有する。
【００１０】
この構成によれば、パネルが小便器の上方や真裏に無くとも露出部分をカバーすることができる。更には、上方のパネルを無くすことで小便器ユニットの高さを低くできると共に、点検口パネルを取った後に形成される点検口を広く確保することができる。
【００１１】
本発明の第３態様に係る小便器ユニットでは、第２態様において、前記他のパネルは、前記小便器の背面に当接する器具当接パネルである。
【００１２】
この構成によれば、小便器の背面が器具当接パネルに当接するので、器具当接パネルが小便器固定時の面圧を負担することになる。この結果、フレームを効率的に補強することができる。
【００１３】
本発明の第４態様に係る小便器ユニットでは、第２態様又は第３態様において、前記小便器の前後方向における前記点検口パネルの前面と前記小便器の背面との間には、前記点検口パネルが移動自在な空間が形成されている。
【００１４】
この構成によれば、点検口パネルを取り外す際に、点検口パネルの前面と小便器との背面との空間を摩擦なく移動させることができるようになる。この結果、取り外し作業中に点検口パネルに無理な外力を負荷することがなく、楽に行え、点検口パネルを変形させたり、表面を傷つける等の不具合を防止できる。
【００１５】
本発明の第５態様に係る小便器ユニットでは、第１態様乃至第４態様の何れか１つの態様において、前記目地は、上下に延びており、前記小便器の上下のアウトラインの角度は、前記目地に対して３度未満のアウトラインである。
【００１６】
この構成によれば、小便器の幅方向のサイズを大きくしなくても、小便器の上下のアウトラインの角度が目地に対して３度未満のアウトラインであるため、アウトラインが目地の方向と近くなり、少なくとも小便器の上下のサイズ分は目地を小便器で隠すことができるようになる。この結果、パネル同士の目地周辺が一層汚れ難く、且つ、露出するパネル部分を一層清掃し易くすることができる。
【００１７】
本発明の第６態様に係る小便器ユニットでは、第５態様において、各小便器の正面視の形状は、上下に長い略長方形状である。
【００１８】
この構成によれば、上下に長い略長方形状の小便器によって、上下に長い目地を覆い隠し易い。
【発明の効果】
【００１９】
本発明の小便器ユニットによれば、パネル同士の目地周辺が汚れ難く、且つ、露出するパネル部分を清掃し易くすることができる。
【図面の簡単な説明】
【００２０】
【図１】本発明の第一実施形態に係る小便器ユニットの正面図である。
【図２】ライニングの分解斜視図である。
【図３】図１に示す小便器ユニットの正面図において、小便器の一部を透明化して二点鎖線で描いた図である。
【図４】小便器ユニットの小便器周辺の上面断面図と、その一部拡大図と、を一緒に示した図である。
【図５】本発明の第二実施形態に係る小便器ユニットの正面図である。
【図６】参考例に係る小便器ユニットの正面図である。
【発明を実施するための形態】
【００２１】
以下、添付図面を参照しながら本発明の複数の実施の形態について説明する。説明の理解を容易にするため、各図面において同一の構成要素に対しては可能な限り同一の符号を付して、重複する説明は省略する。
【００２２】
＜第一実施形態＞
＜＜構成＞＞
まずは、本発明の第一実施形態に係る小便器ユニットの構成について説明する。
【００２３】
図１は、本発明の第一実施形態に係る小便器ユニット１０の正面図である。
【００２４】
図１に示すように、小便器ユニット１０は、トイレ室において、例えば、床面１２から直立した壁１４に設けられている。
【００２５】
この小便器ユニット１０は、少なくとも１つ以上の小便器２０と、少なくとも１つの手摺り３０と、１つのライニング４０と、を備える。
【００２６】
小便器２０は、例えば、１つのライニング４０に３つ固定され、ライニング幅方向に隙間を空けて並んでいる。各小便器２０は、床面１２から上に離間している。各小便器２０の形状は、例えば、上下に長い略直方体である。各小便器２０の正面視の形状は、上下に長い略長方形状である、各小便器２０の正面（前方）には、上端から下方に向けて徐々に小さくされた開口２２が形成されている。この開口２２内には尿を受けるボウル２３が形成されている。
【００２７】
この小便器２０を正面視したときの小便器２０の上下のアウトラインの角度は、後述する小便器２０背後の縦目地６０Ａに対して３度未満のアウトラインであり、特に２度以内のアウトラインであることが好ましい。小便器２０の高さは、縦目地６０Ａをより隠すという観点から、例えば、ライニング４０の高さの１／２以上２／２以下であり、２／３以上であることが好ましい。
【００２８】
手摺り３０は、例えば、１つのライニング４０に１つ固定されている。この手摺り３０は、１つの小便器２０の背後の周囲にあるライニング４０から前方に突出している。
【００２９】
ライニング４０は、小便器２０と壁１４との間に設けられており、小便器２０の排水管（不図示）等を隠している。ライニング４０の前面４０Ａは、例えば、水平方向に長い長方形状である。
【００３０】
図２は、ライニング４０の分解斜視図である。
【００３１】
図２に示すように、ライニング４０は、フレーム４２と、甲板４３と、を備えている。
【００３２】
フレーム４２は、小便器２０を固定するための金属部材である。このフレーム４２は、小便器２０毎に設けられたフレーム本体４４がそれぞれ水平方向に繋がれて構成されている。
【００３３】
各フレーム本体４４の下部には、水平方向に延びた板状の器具当接板４４Ａが設けられている。この器具当接板４４Ａに、小便器２０の背面が当接して螺子等の固定金具で固定される。この器具当接板４４Ａの中央部には、小便器２０の排水管を通すための貫通孔４４Ｂが設けられている。各フレーム本体４４の中央部上方にも、水平方向に延びた板状の器具当接板４４Ｃが設けられている。この器具当接板４４Ｃにも、小便器２０の背面が当接して螺子等の固定金具で固定される。複数の器具当接板４４Ｃのうち１つは、他の器具当接板４４Ｃに比べて、上下に大きくされており、手摺り３０の背部が当接して螺子等の固定金具で固定される。
【００３４】
甲板４３は、フレーム４２の上部を覆い隠す平らな板部材である。正面側となる甲板４３の先端は折れ曲がっている。
【００３５】
このようなフレーム４２と甲板４３の他、ライニング４０は、フィラー４６と、幅木４８と、パネル５０としての点検口パネル５０Ａ及び器具当接パネル５０Ｂと、をさらに備えている。
【００３６】
フィラー４６は、ライニング４０の幅方向両端部に設けられ、その背後を覆い隠している。
【００３７】
幅木４８は、ライニング４０の下端部に設けられており、その背後を覆い隠している。
【００３８】
パネル５０は、ライニング４０の中で最も前側の前面となる部分である。各パネル５０は、小便器２０の幅方向に沿ってフレーム４２に懸架されることで取り付けられ、小便器２０の背後の周囲を覆うように複数枚で構成されている。
【００３９】
パネル５０は、例えば、４枚の点検口パネル５０Ａと、４枚の器具当接パネル５０Ｂと、備えている。
【００４０】
これら点検口パネル５０Ａと器具当接パネル５０Ｂとは、ライニング４０の幅方向に、交互に設けられている。
【００４１】
各点検口パネル５０Ａは、上下に長い長方形状の板部材である。また、各点検口パネル５０Ａは、略平らである。また、各点検口パネル５０Ａは、各小便器２０同士の間のフレーム４２前方部分に設けられ、点検用に取り外し自在となっている。
【００４２】
各器具当接パネル５０Ｂは、小便器ユニット１０の幅方向に長い長方形状の板部材である。また、各器具当接パネル５０Ｂは、略平らで、各点検口パネル５０Ａと略平行である。また、各器具当接パネル５０Ｂは、各小便器２０の上下の少なくとも何れか一方側に設けられた板部材である。本実施形態では、器具当接パネル５０Ｂは、各小便器２０の上側にそれぞれ設けられている。ただし、手摺り３０が設けられる箇所には、器具当接パネル５０Ｂが上下いずれの側にも設けられている。なお、各小便器２０の背後中央部には、器具当接パネル５０Ｂが設けられておらず、面材の削減と加工容易性が図られている。
【００４３】
図３は、図１に示す小便器ユニット１０の正面図において、小便器２０の一部を透明化して二点鎖線で描いた図である。なお、図３において手摺り３０の記載は省略している。
【００４４】
図３に示すように、点検口パネル５０Ａは、小便器２０同士の間から小便器２０の背後まで延び、器具当接パネル５０Ｂと突き合されている。突き合された箇所には、上下に真っ直ぐ延びた縦目地６０Ａが形成される。
【００４５】
このような各パネル５０同士の縦目地６０Ａは、少なくとも中央部は、小便器２０の背後に位置するようになっている。したがって、縦目地６０Ａの少なくとも中央部は、小便器２０によって隠される。なお、図３では、縦目地６０Ａの上端部及び下端部は、小便器２０から露出している。小便器２０のサイズによっては、各縦目地６０Ａの上端部及び下端部も小便器２０の背後に位置して隠されていてもよい。
【００４６】
図４は、小便器ユニット１０の小便器２０周辺の上面断面図と、その一部拡大図と、を一緒に示した図である。
【００４７】
図４に示すように、器具当接パネル５０Ｂは、隣接する点検口パネル５０Ａよりも前出している。この結果、小便器２０の前後方向における点検口パネル５０Ａの前面と小便器２０の背面との間には、点検口パネル５０Ａが移動自在な空間Ｇが形成されている。
【００４８】
＜＜効果＞＞
次に、本発明の第一実施形態に係る小便器ユニット１０の効果について説明する。
【００４９】
図６は、参考例に係る小便器ユニット７０の正面図である。
【００５０】
図６に示すように、小便器ユニット７０は、小便器２０と、ライニング７２と、を備えている。このライニング７２の最前面は、複数枚のパネル７４で構成されている。パネル７４同士の間に露出する縦目地６０Ｂができてしまう。この結果、その縦目地６０Ｂにより形成される隙間によって、縦目地周辺が汚れ易く、且つ、露出するパネル部分を清掃し難い。
【００５１】
そこで、本発明の第一実施形態に係る小便器ユニット１０では、図１に示すように、各パネル５０同士の縦目地６０Ａが小便器２０の背後に位置するので、少なくとも各縦目地６０Ａの中央部は小便器２０によって隠れることになる。この結果、図６に示す参考例に比べて、パネル５０同士の目地周辺が汚れ難く、且つ、露出するパネル部分を清掃し易くすることができる。
【００５２】
また、小便器ユニット１０の構成によれば、縦目地６０Ａの露出が減ることで視認される虞を抑制できるので、意匠性を向上することができる。
【００５３】
また、小便器ユニット１０の構成によれば、器具当接パネル５０Ｂで、小便器２０固定時の面圧を負担することで、フレーム４２を効率的に補強することができる。
【００５４】
また、小便器ユニット１０の構成によれば、器具当接パネル５０Ｂを、フレーム４２と一体的に構成すれば、面材量、施工手間をさらに削減できる。また、小便器２０固定の剛性を高めることができる。
【００５５】
また、小便器ユニット１０の構成によれば、点検口パネルが小便器２０の上方や下方にある場合に比べて、小便器ユニット１０の高さを低くできると共に、点検口パネル５０Ａを取った後に形成される点検口を広く確保することができる。
【００５６】
また、例えば、点検口パネル５０Ａはフレーム４０の前面４０Ａに設けたフックに上方から懸架する構造になっており、取り外す際には甲板４３を外して上方にスライドさせて行う態様において、小便器２０の前後方向における点検口パネル５０Ａの前面と小便器２０の背面との間に空間Ｇが形成されているため、点検口パネル５０Ａを上方にスライドする際、点検口パネル５０Ａの前面と小便器２０の背面との間の空間を摩擦負荷なしで移動させることができる。この結果、取り外し作業中に点検口パネルに無理な外力を負荷することがなく、楽に行え、点検口パネル５０Ａを変形させたり、表面を傷つける等の不具合を防止できる。
【００５７】
また、小便器２０の上下のアウトラインの角度が縦目地６０Ａに対して３度未満のアウトラインであるため、小便器２０の幅方向のサイズを大きくしなくても、アウトラインが縦目地６０Ａの方向と近くなり、少なくとも小便器２０の上下のサイズ分は縦目地６０Ａを小便器２０で隠すことができるようになる。この結果、パネル５０同士の目地周辺が一層汚れ難く、且つ、露出するパネル部分を一層清掃し易くすることができる。
【００５８】
＜第二実施形態＞
次に、本発明の第二実施形態に係る小便器ユニットについて説明する。
【００５９】
図５は、本発明の第二実施形態に係る小便器ユニット８０の正面図である。
【００６０】
図５に示すように、小便器ユニット８０では、小便器２０の天面とライニング４０の甲板４３との高さが合わせられている。その他の構成や位置などは、第一実施形態に係る小便器ユニット１０の構成と同様である。
【００６１】
このように、小便器２０の天面とライニング４０の甲板４３との高さが合わせられることで、上側にある器具当接パネル５０Ｂの露出がなくなり、さらに意匠性が向上する。
【００６２】
＜変形例＞
以上、本願の開示する技術の実施形態について説明したが、本願の開示する技術は、上記に限定されるものではない。
【００６３】
例えば、フレーム本体４４がそれぞれ繋がれている場合を説明したが、フレーム本体４４が繋がれていなくてもよい。
【００６４】
また、上側にある器具当接パネル５０Ｂが露出する場合においては、その周辺と異なるトーンの仕上げにしてもよい。この結果、アクセントを持たせた意匠にすることができる。
【００６５】
また、上側にある器具当接パネル５０Ｂに、機能部材を設置することで、使用勝手・アメニティの向上を図ることも可能である。なお、機能部材としては、デジタルサイネージやスピーカ、芳香用噴出し口、脱臭口、灰皿、又はこれらの組み合わせ等が挙げられる。
【００６６】
前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１０…小便器ユニット
２０…小便器
２３…ボウル
４２…フレーム
５０…パネル
５０Ａ…点検口パネル
５０Ｂ…器具当接パネル（他のパネル）
６０Ａ…縦目地
８０…小便器ユニット
Ｇ…空間
【図１】
2016183454.tif 000003
【図２】
2016183454.tif 000004
【図３】
2016183454.tif 000005
【図４】
2016183454.tif 000006
【図５】
2016183454.tif 000007
【図６】
2016183454.tif 000008